(57)【特許請求の範囲】
【請求項１】
ポンプから供給される作動油で駆動するジャッキによって乗籠を移動させる油圧エレベータであって、
前記ポンプに接続されるとともに上部を開放することができるタンク内の作動油に沈む給油口に設けられるフィルタ装置を備え、
前記フィルタ装置が、この装置のメンテナンス作業者の手が前記作動油の液面から届く高さに位置されているとともに、
前記フィルタ装置は、
前記作動油中の第１の異物をろ過する第１のフィルタと、
前記第１のフィルタを覆って設けられ、前記第１のフィルタの上流で前記第１の異物よりも粒径が小さい第２の異物をろ過する第２のフィルタと
を具備し、
前記第２のフィルタは、金属製の繊維で織られたシートであるとともに両端部に互いに掛合する係止具が設けられており、前記第１のフィルタの外側に巻きつけられ前記係止具を掛合させて配置されることを特徴とする油圧エレベータ。
【請求項２】
前記係止具が面ファスナであることを特徴とする請求項１に記載の油圧エレベータ。
【請求項３】
前記第２のフィルタの外側に装着されて、前記第１のフィルタに対して前記第２のフィルタを固定する固定具を、更に備えることを特徴とする請求項１または２に記載の油圧エレベータ。
【請求項４】
油圧エレベータのポンプに供給される作動油を貯留するとともに上部を開放することができるタンクに沈められた給油口に、メンテナンス作業者の手が前記作動油の液面から届く高さに位置して取り付けられたフィルタ装置のメンテナンス方法であって、
前記フィルタ装置が備える第１のフィルタがろ過する作動油中の第１の異物よりも小さい作動油中の第２の異物をろ過する前記フィルタ装置が備える第２のフィルタは、金属製の繊維で織られたシートで形成されるとともに両端部に互いに掛合する係止具が設けられていて、この第２のフィルタを、前記第１のフィルタの外側に巻きつけて前記第１のフィルタの外側を覆って配置し、前記係止具どうしを掛合させることで、前記第１のフィルタの外側を覆った状態に前記第２のフィルタを保持する仮留め工程と、
前記第１のフィルタに仮留めされた前記第２のフィルタの外側に固定具を装着して、前記第１のフィルタに対して前記第２のフィルタを固定する工程と
を具備することを特徴とするメンテナンス方法。
【発明の詳細な説明】
【技術分野】
【０００１】
本発明は、油ポンプの作動油をろ過するフィルタ装置を油タンク内に有する油圧エレベータ、および、このフィルタ装置のメンテナンス方法に関する。
【背景技術】
【０００２】
油圧エレベータは、油圧駆動装置を利用して乗籠を昇降させる。油圧駆動装置のジャッキと乗籠との間を連結するロープを介して油圧駆動装置のプランジャの昇降動作が乗籠に伝わることで、乗籠が昇降する。油圧駆動装置のポンプは、ピット近傍の機械室内に設置されている。このポンプは、機械室内に設置されるタンク内の作動油をジャッキに供給することで、プランジャを昇降させる。
【０００３】
油圧エレベータの据付時や保守時などの作業によって、タンク内に埃や塵などの異物が混入することがある。この異物がポンプに吸込まれると、動作が不安定になったり、故障したりする原因となる。従って、タンクから作動油を吸込むポンプの吸込口には、作動油をろ過するフィルタ装置が設けられており、このフィルタにより作動油中に浮遊する異物を除去している。
【０００４】
特許文献１には、タンク内の作動油中に沈んで設置され、タンクの外部に設けられたポンプに吸い込まれる作動油をろ過するサクションフィルタと、このタンク内の作動油を浄化する二重の浄化用フィルタを有する油圧エレベータの作動油浄化装置が記載されている。
【先行技術文献】
【特許文献】
【０００５】
【特許文献１】特開平１１−１９０３１０号公報
【発明の概要】
【発明が解決しようとする課題】
【０００６】
特許文献１に記載された浄化装置では、二重の浄化用フィルタはサクションフィルタの上流には設けられておらず、ろ過された作動油はサクションフィルタから離れた位置に還流される。このため、サクションフィルタは、浄化用フィルタでろ過された作動油ではなく、周囲に滞留する作動油から吸い込んでしまうこともありうる。この際に滞留する作動油にサクションフィルタでろ過できない異物が含まれていると、異物がポンプに吸込まれてしまう。
【０００７】
また、一時的にメッシュの大きさを小さなものに交換することも考えられるが、タンクから一時作動油を抜き出し、メッシュを交換し、再度作動油を供給するといった一連の作業を行なわねばならず、作業時間に数日を要する。この作業時間中には、エレベータのサービスを停止させなければならず、利用者にとっては好ましくない。
【０００８】
そこで本発明は、タンク内の作動油の排出や、フィルタ装置自体の換装を要せず、短い作業時間で作動油のろ過能力を向上させることのできる油圧エレベータ、及びメンテナンス方法を提供することを目的とする。
【課題を解決するための手段】
【０００９】
本発明に係る油圧エレベータは、ポンプに接続されたタンク内の作動油に沈む給油口に設けられるフィルタ装置を備える。このフィルタ装置は、第１のフィルタと第２のフィルタとを備える。第１のフィルタは、作動油中の第１の異物をろ過する。第２のフィルタは、金属製の繊維で織られたシートであるとともに両端部に互いに掛合する係止具が設けられており、前記第１のフィルタの外側に巻きつけられ前記係止具を掛合させて配置される。第１のフィルタを覆って設けられた第２のフィルタは、第１のフィルタの上流で第１の異物よりも粒径が小さい第２の異物をろ過する。
【００１０】
本発明に係るメンテナンス方法は、油圧エレベータのポンプに供給される作動油を貯留するタンクに沈められた給油口に取り付けられるフィルタ装置のメンテナンス方法である。フィルタ装置は、作動油中の第１の異物をろ過する第１のフィルタを備える。このメンテナンス方法は、仮留め工程と、固定する工程とを備える。仮留め工程では、金属製の繊維で織られたシートで形成されるとともに両端部に互いに掛合する係止具が設けられていて、第１のフィルタがろ過する第１の異物よりも小さい第２の異物をろ過する第２のフィルタを第１のフィルタの外側を覆って配置し、第２のフィルタが備える係止具どうしを掛合させることで第１のフィルタの外側を覆った状態に第２のフィルタを保持させる。固定する工程では、第１のフィルタに仮留めされた第２のフィルタの外側に固定具を装着して、第１のフィルタに対して第２のフィルタを固定させる。
【発明の効果】
【００１１】
本発明によれば、タンク内の作動油の排出や、フィルタ装置自体の換装を要さず、短時間でフィルタ装置のろ過性能を向上させることができる。また、油圧駆動装置のジャッキ内に流れ込む異物の量が低減される。
【図面の簡単な説明】
【００１２】
【図１】本発明の第１の実施形態に係る油圧エレベータを示す模式図。
【図２】図１に示したフィルタ装置の一部を切り欠いた断面図。
【図３】図２中のＦ３−Ｆ３線に沿って示すフィルタ装置の断面図。
【図４】本発明の第１参考例に係る油圧エレベータのフィルタ装置を示す斜視図。
【図５】図４に示したフィルタ装置の外装フィルタの分解斜視図。
【図６】本発明の第２参考例に係る油圧エレベータのフィルタ装置の斜視図。
【図７】図６に示したフィルタ装置の外装フィルタの分解斜視図。
【図８】本発明の第３参考例に係る油圧エレベータのフィルタ装置の斜視図。
【発明を実施するための形態】
【００１３】
以下に本発明の第１の実施形態について、図１から図３を参照して説明する。  
図１に示す油圧エレベータ１０は、昇降路１１と、乗籠１２と、油圧駆動装置２０と、機械室２１とを備えている。乗籠１２は、昇降路１１内に鉛直方向に設置された籠レール１１１に案内されて昇降路１１内を昇降する。乗籠１２は、籠レール１１１に沿って滑らかに移動するためのガイド装置１２１，１２２を備えている。ガイド装置１２１，１２２は、ガイドローラやガイドシューを有している。
【００１４】
油圧駆動装置２０は、ジャッキ台２０１と、ジャッキ２０２と、プランジャ２０３と、プーリ２０４と、ロープ２０５と、ポンプ２１２と、タンク２１３と、フィルタ装置４０とを有している。なお、油圧駆動装置２０の各構成の配置は、図１に示された配置に限定されない。
【００１５】
ジャッキ台２０１は、昇降路１１のピット１１２の床１１３に固定されている。ジャッキ２０２は、ジャッキ台２０１の上に据えられている。ジャッキ２０２の内部には、ジャッキ２０２の軸線方向に沿って移動可能なプランジャ２０３が設けられている。ジャッキ２０２は、内部に作動油２１１が供給されることによって、プランジャ２０３を鉛直方向に移動する。プーリ２０４はプランジャ２０３の先端部に回転可能に支持されている。
【００１６】
ロープ２０５の一端は、ジャッキ２０２の上端に固定され、他端は、乗籠１２の下部１２３に固定される。ロープ２０５の中間部は、プーリ２０４に巻きかけられている。
【００１７】
ポンプ２１２は、機械室２１に設けられている。タンク２１３は、ポンプ２１２の上方に設けられており、内部に作動油２１１が貯留されている。タンク２１３は、作業のために上部を開放することができる。ポンプ２１２とタンク２１３とは、第１の配管２１４を介して接続されている。第１の配管２１４の一方の端部である給油口２１５は、タンク２１３内の作動油２１１に沈められている。
【００１８】
フィルタ装置４０は、給油口２１５に取り付けられている。従って、フィルタ装置４０は、タンク２１３内に貯留された作動油２１１に沈んでいる。フィルタ装置４０は、タンク２１３内の作動油２１１の液面から手が届く程度の高さに位置している。作動油２１１は、フィルタ装置４０および第１の配管２１４を通って、ポンプ２１２に吸込まれる。
【００１９】
ポンプ２１２は、第２の配管２１６を介してジャッキ２０２に接続されている。作動油２１１は、第２の配管２１６を通って、ポンプ２１２からジャッキ２０２に供給される。ジャッキ２０２は、第３の配管２１７を介してとタンク２１３に接続されている。ジャッキ２０２内の作動油２１１は、第３の配管２１７を通ってタンク２１３内に還流される。
【００２０】
フィルタ装置４０は、図２および図３に示すように、フィルタ本体４０１と、メッシュ部材４０２と、固定具４０３とを有している。フィルタ本体４０１は、本発明の第１のフィルタの一例である。メッシュ部材４０２は、本発明の第２のフィルタの一例である。
【００２１】
フィルタ本体４０１は、例えばステンレス等の金属製であり、両端面が閉塞された円筒形状の部材である。フィルタ本体４０１は、枠部などにより補強されており、作動油２１１を吸込むときの力で変形しない十分な剛性を有している。第１の配管２１４の給油口２１５は、ネジ止め等によりフィルタ本体４０１の一方の端部に固定されており、フィルタ本体４０１の内部に向けて開口している。
【００２２】
フィルタ本体４０１の外周面は、第１の異物をろ過するフィルタ面４０４である。フィルタ面４０４は、例えばフィルタ本体４０１の外周面に複数の孔を穿孔して設けられる。なお、フィルタ面４０４は、金属繊維により編まれたメッシュなどによって形成されていてもよい。本明細書において、第１の異物とは粒径が１００μｍ以上の異物を指す。
【００２３】
メッシュ部材４０２は、フィルタ本体４０１の外周面に巻きつけられ、フィルタ本体４０１のフィルタ面４０４を覆っている。すなわち、メッシュ部材４０２はフィルタ本体４０１の上流側に設けられている。メッシュ部材４０２は、例えば金属繊維により編まれた矩形状のシートである。なお、メッシュ部材４０２は、このようなシートに限らず、例えば合成樹脂によって形成された透過膜なども利用可能である。
【００２４】
メッシュ部材４０２は、フィルタ面４０４がろ過する第１の異物よりも小さい第２の異物をろ過することができ、具体的には粒径が５０μｍ以上の大きさの異物をろ過する。作動油２１１は、図２中の矢印Ａで示すように、メッシュ部材４０２およびフィルタ面４０４を通ってフィルタ装置４０の外部から内部に流入する。
【００２５】
メッシュ部材４０２の長手方向の両端部には、互いに掛合する一対の係止具４０５，４０６が設けられている。係止具４０５，４０６は、例えば一対の面ファスナーであり、係止具４０５はメッシュ部材４０２の一方の面に設けられ、係止具４０６はメッシュ部材４０２の他方の面に設けられている。係止具４０５，４０６は、面ファスナーに限らず、互いに掛合する金属製のフックなどでも良い。
【００２６】
フィルタ装置４０の軸方向の両端部において、メッシュ部材４０２の外側に、固定具４０３が装着されている。固定具４０３はホースバンドであり、フィルタ装置４０の外周に巻きつけられ、メッシュ部材４０２をフィルタ本体４０１に隙間無く密着するように固定する。固定具４０３は、ホースバンドに限らず、経年的に緩まない構造であれば良い。
【００２７】
次に、メッシュ部材４０２の取付方法について説明する。  
タンク２１３内の作動油２１１に沈められたフィルタ本体４０１のフィルタ面４０４に、矩形状のメッシュ部材４０２を巻きつける。この際、フィルタ面４０４にメッシュ部材４０２が密着することが望ましい。
【００２８】
巻きつけたメッシュ部材４０２は、一方の端部に設けられた係止具４０５と、他方の端部に設けられた係止具４０６とを掛合させ、仮留めされる。次に、フィルタ装置４０の長手方向の両端部に、メッシュ部材４０２の外側から、固定具４０３を装着する。固定具４０３で外側からメッシュ部材４０２を締め付けて、メッシュ部材４０２をフィルタ本体４０１に固定する。
【００２９】
次に、前記構成のエレベータ１０の作用について説明する。  
乗籠１２が所望の階床に移動する場合には、ポンプ２１２が駆動し、作動油２１１がフィルタ装置４０、第１の配管２１４、および、第２の配管２１６を通ってジャッキ２０２に供給される。タンク２１３の作動油２１１がフィルタ装置４０を通過する際、フィルタ装置４０は作動油２１１内の異物をろ過する。つまり、ポンプ２１２に吸込まれる作動油２１１は、必ず一度フィルタ装置４０を通過する。
【００３０】
作動油２１１が供給されることにより、プランジャ２０３が上下方向に移動する。プランジャ２０３の移動に応じて、プーリ２０４も回転しながら上下方向に移動する。プーリ２０４に巻きかけられたロープ２０５によって、乗籠１２が昇降路１１内を昇降する。
【００３１】
プランジャ２０３が上方向に移動した場合、乗籠１２は上階側に移動する。プランジャ２０３が下方向に移動した場合、乗籠１２は下階側に移動する。ジャッキ２０２内の作動油２１１は、第３の配管２１７を通ってタンク２１３内に還流する。
【００３２】
次に、前記構成のエレベータ１０の効果について説明する。  
エレベータ１０は、フィルタ本体４０１の外周にメッシュ部材４０２を取り付けることにより、フィルタ面４０４が除去可能な第１の異物よりも、粒径が小さい第２の異物を除去することができるようになる。
【００３３】
また、フィルタ装置４０は、タンク２１３内の作動油２１１を排出することなく、メッシュ部材４０２を作動油２１１に沈んでいるフィルタ本体４０１に取り付けられる。
【００３４】
従って、タンク２１３内の作動油２１１の除去や、フィルタ装置４０自体の換装を要さず、短時間でフィルタ装置４０のろ過性能を向上させることができる。また、ジャッキ２０２内に流れ込む異物の量が低減される。
【００３５】
次に、本発明の第１ないし第２の参考例について、各々の図面を参照して説明する。このとき、第１の実施形態の油圧エレベータ１０と比較して、同じ機能を有する構成は、同一の符号を付してその説明を省略する。
【００３６】
以下、本発明の第１の参考例について、図４および図５を参照して説明する。  
図４および図５に示される外装フィルタ４１は、本発明の第２のフィルタの一例である。外装フィルタ４１は、フィルタ本体４０１の外側に取り付けられ、フィルタ本体４０１のフィルタ面４０４を覆っている。すなわち、外装フィルタ４１は、フィルタ本体４０１の上流側に設けられている。
【００３７】
外装フィルタ４１は、一対に形成された第１の部分４１１および第２の部分４１２を有する。第１の部分４１１および第２の部分４１２は、それぞれ枠部４１３と、フィルタ部４１４と、シール材４１５とを有している。枠部４１３には、フィルタ本体４０１に応じた大きさの開口４１６と、第１の配管２１４に応じた内径を有する溝４１７が形成されている。シール材４１５は、第１の部分４１１と第２の部分４１２との間をシールする。
【００３８】
フィルタ部４１４は、金属繊維で織られたシートである。フィルタ部４１４は、枠部４１３の枠内を覆っている。フィルタ部４１４は、フィルタ本体４０１のフィルタ面４０４がろ過する第１の異物よりも小さい第２の異物をろ過することができる。
【００３９】
第１の部分４１１および第２の部分４１２の枠部４１３には、係止具４０５，４０６が一対に設けられている。第１の部分４１１の係止具４０５は、枠部４１３から突出する凸部である。第２の部分４１２の係止具４０６は、係止具４０５が挿入される凹部である。
【００４０】
外装フィルタ４１は、次のようにフィルタ本体４０１に取り付けられる。第１の部分４１１および第２の部分４１２の開口４１６にフィルタ本体４０１を嵌めこむとともに、溝４１７に第１の配管２１４を嵌めこみ、対応する係止具４０５，４０６どうしを掛合させる。係止具４０５，４０６によって仮留めされた第１の部分４１１および第２の部分４１２の外側に、複数の固定具４０３を装着し、第１の部分４１１と第２の部分４１２とを固定する。
【００４１】
次に、本発明の第２の参考例について、図６および図７を参照して説明する。  
図６および図７に示される外装フィルタ４１は、本発明の第２のフィルタの一例である。外装フィルタ４１の第１の部分４１１および第２の部分４１２は、それぞれの枠部４１３から延びる一対のヒンジ部４１８と、一対のプレート部４１９とを有している。ヒンジ部４１８は、第１の部分４１１と第２の部分４１２とを、回動可能に連結している。
【００４２】
第１の部分４１１のプレート部４１９には、ボルト４２０が設けられている。第２の部分４１２のプレート部４１９には、ボルト４２０に対応する切欠４２１が設けられている。図６に示すように、ボルト４２０には、蝶ナット４２２が取り付けられる。ボルト４２０と蝶ナット４２２とは、協働して本発明の固定具として機能する。
【００４３】
外装フィルタ４１は、次のようにフィルタ本体４０１に取り付けられる。第１の部分４１１の開口４１６にフィルタ本体４０１を嵌めこむとともに、溝４１７に第１の配管２１４を嵌めこみ、第２の部分４１２をヒンジ部４１８回りに回動させ、ボルト４２０を切欠４２１に嵌め込む。ボルト４２０に蝶ナット４２２を締め付け、第１の部分４１１と第２の部分４１２とを固定する。
【００４４】
次に、本発明の第３の参考例について、図８を参照して説明する。  
図８に示される外装フィルタ４１は、本発明の第２のフィルタの一例である。外装フィルタ４１は、金属繊維によって織られたシートを縫製した袋である。外装フィルタ４１は、フィルタ本体４０１のフィルタ面４０４がろ過する第１の異物よりも小さい第２の異物をろ過することができ、例えば粒径が５０μｍ以上の大きさの異物をろ過する。
【００４５】
外装フィルタ４１は、フィルタ本体４０１に被せた状態で、外装フィルタ４１の開口に設けられる固定具によって、第１の配管２１４の外周に固定されることにより、フィルタ本体４０１の外側を覆って取り付けられる。
【００４６】
以上、本発明の第１の実施形態に係るエレベータ１０について説明したが、
本発明はこれらに限定されるものではない。本発明は、実施段階ではその要旨を逸脱しない範囲で構成要素を変形して具体化できる。例えば本発明の固定具としては、上記第１ないし第３の参考例で挙げたものの他に、クイックファスナー等が適用できる。
また、本明細書には以下の発明が含まれている。
[１]  ポンプから供給される作動油で駆動するジャッキによって乗籠を移動させる油圧エレベータであって、
前記ポンプに接続されるとともに上部を開放することができるタンク内の作動油に沈む給油口に設けられるフィルタ装置を備え、
前記フィルタ装置が、この装置のメンテナンス作業者の手が前記作動油の液面から届く高さに位置されているとともに、
前記フィルタ装置は、
前記作動油中の第１の異物をろ過する第１のフィルタと、
前記第１のフィルタを覆って設けられ、前記第１のフィルタの上流で前記第１の異物よりも粒径が小さい第２の異物をろ過する第２のフィルタと
を具備し、
前記第２のフィルタは一対に形成された第１の部分及び第２の部分を有し、前記第２のフィルタが前記第１のフィルタを覆った状態で互いに掛合する係止具を、前記一対の第１の部分及び第２の部分に設けたことを特徴とする油圧エレベータ。
[２]  ポンプから供給される作動油で駆動するジャッキによって乗籠を移動させる油圧エレベータであって、
前記ポンプに接続されるとともに上部を開放することができるタンク内の作動油に沈む給油口に設けられるフィルタ装置を備え、
前記フィルタ装置が、この装置のメンテナンス作業者の手が前記作動油の液面から届く高さに位置されているとともに、
前記フィルタ装置は、
前記作動油中の第１の異物をろ過する第１のフィルタと、
ヒンジ部で回動可能に連結された一対の第１の部分及び第２の部分を有し前記第１のフィルタを覆って設けられ、前記第１のフィルタの上流で前記第１の異物よりも粒径が小さい第２の異物をろ過する第２のフィルタと、
前記第２のフィルタの外側に装着されて、前記第１のフィルタに対して前記第２のフィルタを固定する固定具と
を具備することを特徴とする油圧エレベータ。
[３]  油圧エレベータのポンプに供給される作動油を貯留するとともに上部を開放することができるタンクに沈められた給油口に、メンテナンス作業者の手が前記作動油の液面から届く高さに位置して取り付けられたフィルタ装置のメンテナンス方法であって、
前記フィルタ装置が備える第１のフィルタがろ過する作動油中の第１の異物よりも小さい作動油中の第２の異物をろ過する前記フィルタ装置が備える第２のフィルタが、第１の部分及び第２の部分を有して形成され、この第２のフィルタを前記第１のフィルタの外側を覆って配置し、前記第１、第２の部分が備える係止具どうしを掛合させることで、前記第１のフィルタの外側を覆った状態に前記第２のフィルタを保持する仮留め工程と、
前記第１のフィルタに仮留めされた前記第２のフィルタの外側に固定具を装着して、前記第１のフィルタに対して前記第２のフィルタを固定する工程と
を具備することを特徴とするメンテナンス方法。
[４]  油圧エレベータのポンプに供給される作動油を貯留するとともに上部を開放することができるタンクに沈められた給油口に、メンテナンス作業者の手が前記作動油の液面から届く高さに位置して取り付けられたフィルタ装置のメンテナンス方法であって、
前記フィルタ装置が備える第１のフィルタがろ過する作動油中の第１の異物よりも小さい作動油中の第２の異物をろ過する前記フィルタ装置が備える第２のフィルタが、ヒンジ部で回動可能に連結された第１の部分及び第２の部分を有して形成され、この第２のフィルタを前記第１のフィルタの外側を覆って配置する工程と、
前記第１のフィルタを覆った前記第２のフィルタの外側に固定具を装着して、前記第１のフィルタに対して前記第２のフィルタを固定する工程と
を具備することを特徴とするメンテナンス方法。
【符号の説明】
【００４７】
１０…エレベータ，１１…昇降路，１２…乗籠，２０…油圧駆動装置，２０２…ジャッキ，２０３…プランジャ，２１１…作動油，２１２…ポンプ，２１３…タンク，２１４…第１の配管，２１５…給油口，４０…フィルタ装置，４０１…フィルタ本体，４０２…メッシュ部材，４０３…固定具，４０４…フィルタ面，４０５，４０６…係止具、４１１…第１の部分、４１２…第２の部分、４１８…ヒンジ部、４１９…プレート部、４２０…ボルト〈固定具〉、４２１…切欠、４２２…蝶ナット（固定具）。
【図１】
0005641719.tif 000002
【図２】
0005641719.tif 000003
【図３】
0005641719.tif 000004
【図４】
0005641719.tif 000005
【図５】
0005641719.tif 000006
【図６】
0005641719.tif 000007
【図７】
0005641719.tif 000008
【図８】
0005641719.tif 000009